(57)【要約】【課題】撤去既存杭周辺の地盤を緩めることなく、作業の安全性も確保され、撤去孔の崩壊もない状態で、該撤去孔をその後の使用目的に合わせた適用に繋げる既存杭の撤去方法を提供する。【解決手段】先端にオーガヘッドが取付けられたオーガスクリューとその外側のケーシングとを、互いに正逆回転させて掘削を行う既存杭撤去オーガ工法において、既存杭撤去孔のその後の使用目的に合わせた埋め戻し材を用意すると共に、又はその後の使用目的に合わせた径のケーシングを予め装着し、全ての破砕物を地上までオーガスクリューにて地上に排出し、埋め戻し材にて埋め戻しを完了するまで、ケーシングを残置させることを特徴とする。【選択図】図２
2014163213.tif 000002
【特許請求の範囲】
【請求項１】
先端にオーガヘッドが取付けられたオーガスクリューとその外側のケーシングとを、互いに正逆回転させて掘削を行う既存杭撤去オーガ工法において、全ての破砕物を地上にオーガスクリューにて地上に排出し、既存杭を破砕・撤去後に埋め戻し材にて埋め戻しを完了するまで、該ケーシングを残置させることを特徴とする既存杭の撤去方法。
【請求項２】
該ケーシングとして、既存杭撤去孔のその後の使用目的に合わせた径のケーシングを装着することを特徴とする請求項１記載の既存杭の撤去方法。
【請求項３】
該埋め戻し材として、その後の使用目的に合わせ選定した埋め戻し材とすることを特徴とする請求項１又は、請求項２記載の既存杭の撤去方法。
【発明の詳細な説明】
【技術分野】
【０００１】  本発明は、既存杭撤去の際、既存杭の周辺地盤を保護し、確実な埋戻し作業ができると共に、埋戻し材料を用途によって選定することが可能な既存杭の撤去工法に関する。
【背景技術】
【０００２】  近年、既設の建設物を取り壊しその場所に、新しい建設物を建設する場合、新たな杭を打込むことになるが、地中に打込まれている既存の杭位置が、重なり合うようなときには、その既存杭を引抜いてから、新たな杭を打込むようにしている。又、新たな杭を打込まない場合でも、付近の流動化対策の目的から、既存杭の引抜き孔が地盤改良に供される等々のことがある。【０００３】  既存杭としては、松杭、ＲＣ杭、ＰＣパイル、ＰＨＣ杭等があげられる。これらの既存杭を撤去するために、従来種々の工法が開発されている。例えば、コンクリート杭の周囲に水を注水しながら掘削刃を備えたケーシングを地中に挿入し、挿入後ケーシングを引抜き、既存杭の上部にワイヤロープを取付け、杭を吊上げ撤夫する方法がある（特許文献１参照）。しかし、この方法では、既存杭周辺の地盤が緩み、それを回復させる必要や、既存杭を引抜く際、上部に掛けたワイヤロープが外れ作業に危険を伴う場合があり、更に、引抜いた杭の運搬粉砕処理等のために時間と経費が掛かるといった問題があった。
又ケーシングや、水を用いないで既存杭を粉砕しながら撤去する方法もある（特許文献２参照）が、この方法では、既存杭撤去後の掘削孔が外周からの崩れで埋まり、撤去後の掘削孔を次段の目的用に容易には利用できない場合がある。
【先行技術文献】
【特許文献】
【０００４】
【特許文献１】特開昭６３−１６１２２２号
【特許文献１】特開平０９−２０３０４０号
【発明の概要】
【発明が解決しようとする課題】
【０００５】  そこで、本発明は、撤去既存杭周辺の地盤を緩めることなく、作業の安全性も確保され、撤去孔の崩壊もない状態で、該撤去孔をその後の使用目的に合わせた適用に繋げる既存杭の撤去方法を提供することにある。
【課題を解決するための手段】
【０００６】  上記問題を解決する手段として本発明は、先端にオーガヘッドが取付けられたオーガスクリューとその外側のケーシングとを、互いに正逆回転させ掘削する既存杭撤去オーガ工法において、オーガヘッドを逆筍形状とし、既存杭撤去孔のその後の使用目的に合わせた径のケーシングを予め装着し、全ての破砕物を地上までオーガスクリューにて地上に排出し、既存杭を破砕・撤去後に埋め戻しを完了するまで、ケーシングを残置させることにある。
【発明の効果】
【０００７】  本発明によれば、次の効果がある。
・既存杭周辺の地盤が緩まないので、それを回復させる必要がない。
・引抜いた長く重い杭の特殊な運搬の必要がなく、改めての杭砕処理の必要がない。
・既存杭撤去孔をその後の使用目的に合わせた直径の、例えば地盤改良用のドレーン材を挿入しドレーン抜出し孔として使用したり、鉄筋篭とコンクリートとを打設し新杭を造成する等々に繋げることができる。
・既存杭の撤去確認が、ケーシングをオーガから切り離し、オーガヘッド及びスクリューを地上まで引き揚げ、ベースマシンを撤去孔から移動させ、埋め戻し材にて撤去孔を埋め戻す前段階で、ケーシング内を目視することで行える。
・上部に掛けたワイヤロープが外れるようなことがなく安全作業になる。【０００８】
【図面の簡単な説明】
【０００９】
【図１】本発明の実施の形態の模式断面図である。
【図２】本発明の施工サイクル状況図である。
【発明を実施するための形態】
【００１０】  以下、本発明を図面に示す実施の形態を参照して説明する。まず、本既存杭撤去工法において、図１はオーガスクリュー４以下の既存杭破砕状況を模式的に示した断面図であり、既存杭１の中心部にオーガヘッド３に１例として逆筍形状のオーガヘッドが先端にセットされ、ケーシング５とオーガスクリュー４が既存杭１を破砕しながら地中深くへ挿入されて行き、それに伴ってケーシング５内の既存杭外周地盤と既存杭の破砕ガラ混合物８がオーガスクリュー４の働きにより地上へ排出される状態のイメージを示している。
【００１１】  次に、使用するオーガ工法全体の構成について施工サイクル状況図である図２を参照して説明する。まず、外側に既存杭撤去孔のその後の使用目的に合わせた径のケーシング５を予め装着し、内側にオーガヘッド３とオーガスクリュー４を備えるベースマシン２を既存杭１上に移動する（図２のイ）。
【００１２】  そして、リーダ６に沿ってケーシング５とオーガスクリュー４及びオーガヘッド３を降下させ、オーガヘッド３の先端を既存杭１の中心部にセットし、オーガスクリュー４とその外側のケーシング５とを、互いに正逆回転させ、既存杭１の破砕を開始する（図２のロ）。
【００１３】  その操作で、ケーシング５内の既存杭外周地盤と既存杭１は上部から破砕されていき、ケーシング５内の既存杭外周地盤と既存杭の破砕ガラ混合物８はオーガスクリュー４により地上へ運ばれ、オーガ上部の排出口７から地上に排出される（図２のハ）。
【００１４】  なお、既存杭１の破砕完了は既存杭の推定長さや上記破砕ガラ混合物８から判断されるが、撤去孔のその後の使用目的に合わせ孔長を更に深く掘削していくこともある（図２のニ）。
【００１５】  そして、目的とする孔長に達した時点で、ケーシング５をオーガから切り離し、オーガヘッド３及びスクリュー４を地上まで引き揚げ、ベースマシン２を撤去孔から移動させ、目的掘削が完了しているかを撤去孔内目視確認する（図２のホ）。
【００１６】  確認の結果ＯＫであれば、その後の使用目的に合わせ予め用意した埋め戻し材にて撤去孔を埋め戻す（図２のヘ）。埋め戻し材９としては、荒砂、砕石等を使用することや、上記破砕ガラ混合物８に薄いセメントミルクを混ぜ周辺地盤と同じ程度の地盤強度にする、地盤改良のためにドレーン材を挿入する、鉄筋篭とコンクリートとを注入し新たな杭を造築する等、その後の使用目的に合わせた種々のものが考えられる。
【００１７】  この後、ケーシング５を引き上げるためにベースマシン１を再び撤去孔上に移動させ、オーガにケーシング５を接合する（図２のト）。
【００１８】  そして、ケーシング５を回転させながらオーガを上昇させケーシング５を地上まで引き抜く（図２のチ）。
【００１９】  最後に、ベースマシンを次なる場所へ移動させることにより、この既存杭１の撤去及びその場所の使用目的に合わせた埋め戻しが完了となる（図２のチ）。
【００２０】  こうした一連の操作を繰り返すことにより、撤去を必要とする既存杭１の撤去と、その後の使用に合わせて利用できる用地や構造物として改変できる。
【００２１】  尚、本発明の作用として、請求項１の方法によれば、全ての破砕ガラ混合物８を地上にオーガスクリュー４にて地上に排出し、既存杭１を破砕・撤去後に埋め戻し材９にて埋め戻しを完了するまで、ケーシング５を残置させるので、既存杭１周辺の地盤が緩まないので、それを回復させる必要がなく、引抜いた長く重い杭の特殊な運搬や改めての杭砕処理の必要もなく危険を伴わないことは勿論のことであり、既存杭１の撤去確認が、ケーシング５をオーガから切り離し、オーガヘッド３及びスクリュー４を地上まで引き揚げ、ベースマシン２を撤去孔から移動させ、埋め戻し材９にて撤去孔を埋め戻す前段階で、ケーシング５内を目視することで行える。
【００２２】  請求項２の方法によれば、既存杭撤去孔のその後の使用目的に合わせた径のケーシング５を予め装着し、掘削長を所望の深さまで行うことにより、再度の径の拡大や掘削長の延長等を行う必要がない。
【００２３】  請求項３の方法によれば、既存杭撤去孔を、その後の使用目的に合わせた埋め戻し材９を予め選定しておいて、例えば地盤改良用のドレーン材を挿入しドレーン抜出し孔として使用する、鉄筋篭とコンクリートとを打設し新杭を造成する等々に繋げることができる。
【符号の説明】
【００２４】  １  既存杭
２  ベースマシン
３  オーガヘッド
４  オーガスクリュー
５  ケーシング
６  リーダ
７  排出口
８  破砕ガラ混合物
９  埋め戻し材
【図１】
2014163213.tif 000003
【図２】
2014163213.tif 000004